(57)【要約】【課題】記録再生エラーの発生を確実に回避し得る記録再生用磁気ヘッドを提供する。【解決手段】磁気ヘッド５の磁気的な記録幅ＭＷＷおよび再生幅ＭＲＷの双方が記録データの記録再生時における磁気ヘッド５のトラックＴに対するオフトラック幅ＯＴＷの２倍の幅とトラックＴのトラック幅ＴＷとの合計幅以上であって、グルーブＧのグルーブ幅ＧＷの２倍の幅とトラック幅ＴＷとの合計幅から記録再生時におけるオフトラック幅ＯＴＷの２倍の幅を差し引いた幅以下になるように構成されている。【選択図】図２
2004234819.tif 000002
【特許請求の範囲】
【請求項１】
非磁性体部を介して磁気的に互いに分離された同心円状の複数のデータ記録用トラックが形成されたディスクリートトラック型の磁気記録媒体に対する記録データの記録および当該磁気記録媒体からの記録データの再生が可能に構成された記録再生用磁気ヘッドであって、
その磁気的な実効記録ヘッド幅が、前記記録データの記録時における当該記録再生用磁気ヘッドの前記データ記録用トラックに対するオフトラック幅の２倍の幅と前記データ記録用トラックのトラック幅との合計幅以上であって、前記非磁性体部の幅の２倍の幅と前記トラック幅との合計幅から前記記録時におけるオフトラック幅の２倍の幅を差し引いた幅以下で、かつ、その磁気的な実効再生ヘッド幅が、前記記録データの再生時における当該記録再生用磁気ヘッドの前記データ記録用トラックに対するオフトラック幅の２倍の幅と前記トラック幅との合計幅以上であって、前記非磁性体部の幅の２倍の幅と前記トラック幅との合計幅から前記再生時におけるオフトラック幅の２倍の幅を差し引いた幅以下になるように構成されている記録再生用磁気ヘッド。
【請求項２】
前記実効記録ヘッド幅が前記データ記録用トラックのトラックピッチよりも広く、かつ、前記実効再生ヘッド幅が前記データ記録用トラックのトラックピッチよりも広くなるように構成されている請求項１記載の記録再生用磁気ヘッド。
【請求項３】
前記実効記録ヘッド幅と前記実効再生ヘッド幅とが同等で、かつ、当該両ヘッド幅が前記データ記録用トラックのトラックピッチと同等になるように構成されている請求項１記載の記録再生用磁気ヘッド。
【請求項４】
非磁性体部を介して磁気的に互いに分離された同心円状の複数のデータ記録用トラックが形成されると共に記録再生用磁気ヘッドを介して記録データの記録および再生が可能に構成されたディスクリートトラック型の磁気記録媒体であって、
前記データ記録用トラックのトラック幅が、前記記録再生用磁気ヘッドの磁気的な実効記録ヘッド幅から前記記録データの記録時における当該記録再生用磁気ヘッドの前記データ記録用トラックに対するオフトラック幅の２倍の幅を差し引いた幅以下であって、前記記録再生用磁気ヘッドの磁気的な実効再生ヘッド幅から前記記録データの再生時における当該記録再生用磁気ヘッドの前記データ記録用トラックに対するオフトラック幅の２倍の幅を差し引いた幅以下で、かつ、前記非磁性体部の幅の２倍の幅と前記トラック幅との合計幅が、前記記録時におけるオフトラック幅の２倍の幅と前記実効記録ヘッド幅との合計幅以上であって、前記再生時におけるオフトラック幅の２倍の幅と前記実効再生ヘッド幅との合計幅以上となるように構成されている磁気記録媒体。
【請求項５】
前記データ記録用トラックのトラックピッチが前記記録再生用磁気ヘッドの前記実効記録ヘッド幅よりも狭く、かつ、前記データ記録用トラックのトラックピッチが前記記録再生用磁気ヘッドの前記実効再生ヘッド幅よりも狭くなるように構成されている請求項４記載の磁気記録媒体。
【請求項６】
前記データ記録用トラックのトラックピッチが前記記録再生用磁気ヘッドの前記実効記録ヘッド幅および前記実効再生ヘッド幅の双方に対して同等となるように構成されている請求項４記載の磁気記録媒体。
【請求項７】
請求項１から３のいずれかに記載の記録再生用磁気ヘッドと、請求項４から６のいずれかに記載の磁気記録媒体とを備えて、当該磁気記録媒体に対する前記記録データの記録および当該磁気記録媒体からの当該記録データの再生が可能に構成されている記録再生装置。
【発明の詳細な説明】
【技術分野】
【０００１】
本発明は、複数のデータ記録用トラックが形成されたディスクリートトラック型の磁気記録媒体に対する記録データの記録再生が可能に構成された記録再生用磁気ヘッド、その磁気記録媒体、およびその記録再生用磁気ヘッドと磁気記録媒体とを備えて構成された記録再生装置に関するものである。
【背景技術】
【０００２】
今日、高密度記録が可能な記録媒体として、磁気的に互いに分離された同心円状の複数のデータ記録用トラック（以下、「トラック」ともいう）が形成されたディスクリートトラック型の記録媒体（以下、「ディスクリートトラック媒体」ともいう）が開発されている。このディスクリートトラック媒体は、例えばＨＤＤ（Hard Disk Drive ）に搭載されて、記録再生用磁気ヘッド（以下、「磁気ヘッド」ともいう）を介して各種の記録データを磁気的に記録する。この場合、ディスクリートトラック媒体では、各トラック間に形成された溝などの非磁性体部によって、磁気ヘッドの漏れ磁界による実効記録トラック幅の拡大が回避され、また、隣接トラックに対する記録データの記録や、隣接トラックに記録されている記録データの再生（クロストーク）の発生が低減されている。したがって、各トラックの形成ピッチ（以下、「トラックピッチ」ともいう）を狭くすることができるため、記録データを高密度で記録することが可能となっている。
【０００３】
この種のディスクリートトラック媒体および磁気ヘッドを備えた記録再生装置として、磁気ディスク（１）と磁気ヘッド（Ｈ）とを備えて構成された磁気ディスク装置が特開平６−１１１５０２号公報に開示されている。この場合、この種の記録再生装置では、記録データの記録再生時において、磁気ディスクに形成されているサーボパターン（Ｐｓ）を読み取る際に磁気ヘッドから出力されるサーボ検出信号に基づいて、サーボ機構が、トラックの中心（Ｔｃ）をトレースするように磁気ヘッドを移動（サーボ制御）させる。一方、同公報には、トラッキングエラーの発生を回避すべく、磁気ヘッドの磁気的な実効再生ヘッド幅（磁気的読出し幅Ｗｒ）と、磁気ディスクのトラックピッチ（Ｔｐ）と、サーボパターンの幅（Ｔｓ）とを所定の基準を満たすように規定する旨が開示されている。具体的には、実効再生ヘッド幅とトラックピッチとがほぼ等しくなるように双方のサイズを規定すると共に、サーボパターンの幅がトラックピッチまたはその整数倍の幅とほぼ等しくなるように規定する。これにより、サーボ制御時に磁気ヘッドがトラックの中心からある程度位置ずれしたとしても、トラッキングエラー信号の出力変化が小さくなることがないため、トラッキングエラーの発生を回避することが可能となる。
【特許文献１】特開平６−１１１５０２号公報（第４−８頁）
【発明の開示】
【発明が解決しようとする課題】
【０００４】
ところが、従来の磁気ディスク装置には、以下の問題点がある。すなわち、従来の磁気ディスク装置では、トラッキングエラーの発生回避を主目的として磁気ディスクおよび磁気ヘッドの各部のサイズが規定されている。ここで、記録再生装置の設計に際して各部のサイズを規定する場合、トラッキングエラーの発生を回避するだけでなく、目標トラックに対する記録データの記録エラーや目標トラックからの記録データの再生エラー（以下、「記録再生エラー」ともいう）の発生を回避可能に磁気ディスクおよび磁気ヘッドの各部のサイズを規定する必要がある。この場合、この種の磁気ディスク装置（記録再生装置）では、サーボ機構によって磁気ヘッドをトラッキングサーボ制御したとしても、磁気ヘッドによるサーボパターンの読み取り精度やサーボ機構による磁気ヘッドの移動制御量誤差などに起因して磁気ヘッドが記録トラックに対して所定のずれ幅（いわゆる「オフトラック幅」）の範囲内で位置ずれする。一方、同公報には、実効再生ヘッド幅を記録トラック幅（Ｔｗ）よりも広くすると共に、磁気的な実効記録ヘッド幅（磁気的書込み幅Ｗｗ）を記録トラック幅よりも広くする旨が開示されている。しかし、実効記録ヘッド幅および実効再生ヘッド幅を記録トラック幅よりも僅かに広くしただけでは、位置ずれした状態における磁気ヘッドの実効記録ヘッド幅および実効再生ヘッド幅の範囲内に記録トラックにおける幅方向の一部が含まれない状態となることがある。このような状態では、記録データの記録に際して記録トラックを十分に磁化する（記録データの正常な記録）のが困難となったり、記録データの再生に際して記録トラックに記録されている磁気的信号の正常な読み取りが困難となったりする。このように、従来の磁気ディスク装置には、記録再生エラーの発生を確実に回避するのが困難であるという問題点が存在する。
【０００５】
一方、実効再生ヘッド幅および実効記録ヘッド幅を記録トラック幅よりも十分に広くすることにより、磁気ヘッドが記録トラックに対してある程度位置ずれしたとしても、磁気ヘッドの実効記録ヘッド幅および実効再生ヘッド幅の範囲内に記録トラックの幅方向全体を含ませることが可能となる。したがって、このように構成した場合、記録再生エラーの発生を回避することが可能となる。しかし、実効記録ヘッド幅および実効再生ヘッド幅を記録トラック幅よりも広くすることによって記録再生エラーの発生を回避しつつ、同時に、前述した隣接トラックに対する記録データの記録および隣接トラックに記録されている記録データの再生を回避するためには、各トラック間の溝幅をある程度広くして（トラックピッチを拡大して）磁気ヘッドの実効記録ヘッド幅および実効再生ヘッド幅の部位と隣接するトラックとの重なり合いを回避する必要がある。このため、この従来の磁気ディスク装置には、記録再生エラー、隣接トラックへの記録、および隣接トラックからの再生の発生を回避しつつ記録データを高密度で記録するのが困難であるという問題点が存在する。
【０００６】
本発明は、かかる問題点に鑑みてなされたものであり、記録再生エラーの発生を確実に回避し得る記録再生用磁気ヘッド、磁気記録媒体および記録再生装置を提供することを主目的とする。また、記録データについての高密度記録の達成と、隣接トラックへの記録および隣接トラックからの再生の発生の回避との少なくとも一方を達成し得る記録再生用磁気ヘッド、磁気記録媒体および記録再生装置を提供することを他の目的とする。
【課題を解決するための手段】
【０００７】
上記目的を達成すべく本発明に係る記録再生用磁気ヘッドは、非磁性体部を介して磁気的に互いに分離された同心円状の複数のデータ記録用トラックが形成されたディスクリートトラック型の磁気記録媒体に対する記録データの記録および当該磁気記録媒体からの記録データの再生が可能に構成された記録再生用磁気ヘッドであって、その磁気的な実効記録ヘッド幅が、前記記録データの記録時における当該記録再生用磁気ヘッドの前記データ記録用トラックに対するオフトラック幅の２倍の幅と前記データ記録用トラックのトラック幅との合計幅以上であって、前記非磁性体部の幅の２倍の幅と前記トラック幅との合計幅から前記記録時におけるオフトラック幅の２倍の幅を差し引いた幅以下で、かつ、その磁気的な実効再生ヘッド幅が、前記記録データの再生時における当該記録再生用磁気ヘッドの前記データ記録用トラックに対するオフトラック幅の２倍の幅と前記トラック幅との合計幅以上であって、前記非磁性体部の幅の２倍の幅と前記トラック幅との合計幅から前記再生時におけるオフトラック幅の２倍の幅を差し引いた幅以下になるように構成されている。
【０００８】
この場合、本発明に係る記録再生用磁気ヘッドは、前記実効記録ヘッド幅が前記データ記録用トラックのトラックピッチよりも広く、かつ、前記実効再生ヘッド幅が前記データ記録用トラックのトラックピッチよりも広くなるように構成されているのが好ましい。
【０００９】
また、本発明に係る記録再生用磁気ヘッドは、前記実効記録ヘッド幅と前記実効再生ヘッド幅とが同等で、かつ、当該両ヘッド幅が前記データ記録用トラックのトラックピッチと同等になるように構成されているのが好ましい。
【００１０】
また、本発明に係る磁気記録媒体は、非磁性体部を介して磁気的に互いに分離された同心円状の複数のデータ記録用トラックが形成されると共に記録再生用磁気ヘッドを介して記録データの記録および再生が可能に構成されたディスクリートトラック型の磁気記録媒体であって、前記データ記録用トラックのトラック幅が、前記記録再生用磁気ヘッドの磁気的な実効記録ヘッド幅から前記記録データの記録時における当該記録再生用磁気ヘッドの前記データ記録用トラックに対するオフトラック幅の２倍の幅を差し引いた幅以下であって、前記記録再生用磁気ヘッドの磁気的な実効再生ヘッド幅から前記記録データの再生時における当該記録再生用磁気ヘッドの前記データ記録用トラックに対するオフトラック幅の２倍の幅を差し引いた幅以下で、かつ、前記非磁性体部の幅の２倍の幅と前記トラック幅との合計幅が、前記記録時におけるオフトラック幅の２倍の幅と前記実効記録ヘッド幅との合計幅以上であって、前記再生時におけるオフトラック幅の２倍の幅と前記実効再生ヘッド幅との合計幅以上となるように構成されている。
【００１１】
この場合、本発明に係る磁気記録媒体は、前記データ記録用トラックのトラックピッチが前記記録再生用磁気ヘッドの前記実効記録ヘッド幅よりも狭く、かつ、前記データ記録用トラックのトラックピッチが前記記録再生用磁気ヘッドの前記実効再生ヘッド幅よりも狭くなるように構成されているのが好ましい。
【００１２】
また、本発明に係る磁気記録媒体は、前記データ記録用トラックのトラックピッチが前記記録再生用磁気ヘッドの前記実効記録ヘッド幅および前記実効再生ヘッド幅の双方に対して同等となるように構成されているのが好ましい。
【００１３】
また、本発明に係る記録再生装置は、上記のいずれかの記録再生用磁気ヘッドと、上記のいずれかの磁気記録媒体とを備えて、当該磁気記録媒体に対する前記記録データの記録および当該磁気記録媒体からの当該記録データの再生が可能に構成されている。
【発明の効果】
【００１４】
本発明に係る記録再生用磁気ヘッド、磁気記録媒体および記録再生装置によれば、実効記録ヘッド幅および実効再生ヘッド幅の双方がオフトラック幅の２倍の幅とトラック幅との合計幅以上であって、非磁性体部の幅の２倍の幅とトラック幅との合計幅からオフトラック幅の２倍の幅を差し引いた幅以下となるように各部のサイズを規定したことにより、記録データの記録再生時に磁気ヘッドがデータ記録用トラックに対してオフトラック幅の範囲内でどのように位置ずれしたとしても、磁気ヘッドの実効記録ヘッド幅および実効再生ヘッド幅の範囲内にトラック幅の全体が含まれ、かつ、隣接するデータ記録用トラックと磁気ヘッドの実効記録ヘッド幅および実効再生ヘッド幅の部位との重なり合いを回避することができる。これにより、記録再生エラー、隣接トラックへの記録および隣接トラックからの再生の発生を確実に回避することができる。また、隣接トラックへの記録および隣接トラックからの再生の発生を回避すべく、実効記録ヘッド幅および実効再生ヘッド幅の双方を非磁性体部の幅の２倍の幅とトラック幅との合計幅からオフトラック幅の２倍の幅を差し引いた幅を超える幅に規定した場合と比較して、記録データを高密度で記録することができる。
【００１５】
さらに、本発明に係る記録再生用磁気ヘッド、磁気記録媒体および記録再生装置によれば、トラックピッチが実効記録ヘッド幅および実効再生ヘッド幅の双方よりも狭くなるように各部のサイズを規定したことにより、トラック密度を高めることができ、記録データを高密度で記録することができる。しかも、記録データの記録再生時に磁気ヘッドがデータ記録用トラックに対してオフトラック幅の範囲内でどのように位置ずれしたとしても、記録再生エラー、隣接トラックへの記録および隣接トラックからの再生の発生を回避することができる。
【００１６】
また、本発明に係る記録再生用磁気ヘッド、磁気記録媒体および記録再生装置によれば、実効記録ヘッド幅と実効再生ヘッド幅とが同等で、かつ、トラックピッチと同等になるように各部のサイズを規定したことにより、記録再生エラー等の発生を回避しつつ、記録データの高密度記録を達成することができると共に、トラック幅を最大に形成することができるため、記録データの再生時には、データ記録用トラックに記録されている磁気的信号を効率よく読み取って高レベルの再生信号を得ることができる。
【発明を実施するための最良の形態】
【００１７】
以下、添付図面を参照して、本発明に係る記録再生用磁気ヘッド、磁気記録媒体および記録再生装置の好適な発明の実施の形態について説明する。
【００１８】
最初に、本発明に係る記録再生装置に相当する記録再生装置１の構成について、図面を参照して説明する。
【００１９】
記録再生装置１は、図１に示すように、モータ２、ハブ３、サーボ機構４、磁気ヘッド５、制御部６およびディスクリートトラック媒体Ｄを備えて構成されている。モータ２は、制御部６の制御下でハブ３を回転させることにより、ハブ３に取り付けられているディスクリートトラック媒体Ｄを例えば角速度一定で定速回転させる。サーボ機構４は、制御部６の制御下で、モータ２によって回転させられているディスクリートトラック媒体Ｄ上に磁気ヘッド５を移動させると共に、その状態の磁気ヘッド５をディスクリートトラック媒体Ｄの内周方向または外周方向に移動させる（トラッキングサーボ制御）。なお、トラッキングサーボ制御の具体的な方法については周知のため、その説明を省略する。磁気ヘッド５は、本発明に係る記録再生用磁気ヘッドに相当し、ディスクリートトラック媒体Ｄに対する記録データの磁気的な記録（データ記録用トラックの磁化）および再生（データ記録用トラックに記録されている磁気的信号の読み取り）が可能に構成されて、記録データの再生時には、所定の出力信号（リード信号）を出力する。この磁気ヘッド５は、後述するように、その磁気的な実効記録ヘッド幅（以下、「記録幅」ともいう）ＭＷＷと実効再生ヘッド幅（以下、「再生幅」ともいう）ＭＲＷとが同等（等しくまたはほぼ等しく）なるように構成されている。制御部６は、モータ２の回転制御、および磁気ヘッド５を介してのディスクリートトラック媒体Ｄに対する記録データの記録再生制御を実行する。また、制御部６は、記録データの再生時に磁気ヘッド５によって出力されるサーボ検出信号の出力状態に応じてサーボ機構４に対してディスクリートトラック媒体Ｄの内周側または外周側に磁気ヘッド５を移動させる（サーボ制御する）ことによって磁気ヘッド５をディスクリートトラック媒体Ｄ上のトラックＴにオントラックさせる。
【００２０】
ディスクリートトラック媒体Ｄは、本発明に係るディスクリートトラック型の磁気記録媒体に相当し、ガラスやアルミニウムなどで円板状に形成された基材Ｄｂの表面に、同心円状の複数のトラックＴ，Ｔ・・が磁性体材料によって形成されると共に、隣り合うトラックＴ，Ｔの間に本発明における非磁性体部に相当するグルーブ（溝）Ｇが形成されて構成されている。この場合、ディスクリートトラック媒体Ｄには、実際には、その記録再生エリアのほぼ全面に亘って多数のトラックＴ，Ｔ・・が狭いピッチで形成されている。また、ディスクリートトラック媒体Ｄには、トラッキングサーボ制御用のサーボパターンが形成されているが、本発明の実施の形態では、サーボ制御方法と同様にして図示および説明を省略する。さらに、記録再生装置１は、実際には、磁気ヘッド５によって出力された出力信号を増幅して出力するアンプ、アンプの出力信号をディジタル変換するＡ／Ｄ変換器、外部装置（パーソナルコンピュータなど）との間で記録データ等を送受信するデータ入出力用Ｉ／Ｆ、および電源供給用コネクタ等を備えているが、本発明についての理解を容易とするために、その図示および説明を省略する。
【００２１】
この場合、この記録再生装置１では、サーボ機構４および制御部６による磁気ヘッド５のトラッキングサーボ制御に際して、磁気ヘッド５の記録幅ＭＷＷおよび再生幅ＭＲＷにおける幅方向の中心とトラックＴにおける幅方向の中心との間に所定の範囲内で僅かな位置ずれが生じることがある。この位置ずれは、前述したように、磁気ヘッド５によるサーボパターンの読み取り精度やサーボ機構４および制御部６による磁気ヘッド５の移動制御量誤差などに起因するものであり、この記録再生装置１では、記録時および再生時における磁気ヘッド５の位置ずれ量（上記の「所定の範囲」）としてのオフトラック幅ＯＴＷ（図２参照）が最大で４０ｎｍ程度となっている。また、この記録再生装置１では、ディスクリートトラック媒体Ｄの各トラックＴ，Ｔ・・のトラックピッチＴｐが３００ｎｍに規定されると共に、トラックＴのトラック幅ＴＷが２００ｎｍに規定され、かつグルーブＧのグルーブ幅ＧＷが１００ｎｍに規定されている。この場合、トラックＴ，Ｔ・・のトラックピッチＴＰは、磁気ヘッド５の記録幅ＭＷＷおよび再生幅ＭＲＷの双方と同等と（等しくまたはほぼ等しく）なるように規定されている。さらに、トラック幅ＴＷ（２００ｎｍ）は、磁気ヘッド５の記録幅ＭＷＷまたは再生幅ＭＲＷ（３００ｎｍ）からオフトラック幅ＯＴＷの２倍の幅（４０×２＝８０ｎｍ）を差し引いた幅（２２０ｎｍ）以下になるように規定されている。また、トラック幅ＴＷ（２００ｎｍ）と、グルーブ幅ＧＷの２倍の幅（１００×２＝２００ｎｍ）との合計幅（４００ｎｍ）が、磁気ヘッド５の記録幅ＭＷＷまたは再生幅ＭＲＷ（３００ｎｍ）と、オフトラック幅ＯＴＷの２倍の幅（４０×２＝８０ｎｍ）との合計幅（３８０ｎｍ）以上となるように規定されている。
【００２２】
一方、磁気ヘッド５は、前述したように、その記録幅ＭＷＷおよび再生幅ＭＲＷの双方がトラックＴのトラックピッチＴＰと同等の３００ｎｍとなるように規定されている。この場合、記録幅ＭＷＷおよび再生幅ＭＲＷ（３００ｎｍ）は、オフトラック幅ＯＴＷの２倍の幅（８０ｎｍ）とトラック幅ＴＷ（２００ｎｍ）との合計幅（２８０ｎｍ）以上で、かつ、グルーブ幅ＧＷの２倍の幅（２００ｎｍ）とトラック幅ＴＷ（２００ｎｍ）との合計幅（４００ｎｍ）からオフトラック幅ＯＴＷの２倍の幅（８０ｎｍ）を差し引いた幅（３２０ｎｍ）以下となるように規定されている。
【００２３】
次に、記録再生装置１における各部のサイズ（幅）と、記録データの記録再生時における磁気ヘッド５およびトラックＴの位置との関係について、図面を参照して説明する。
【００２４】
この記録再生装置１では、ディスクリートトラック媒体Ｄに対する記録データの記録再生時において、磁気ヘッド５がサーボ機構４および制御部６によるサーボ制御によって、ディスクリートトラック媒体Ｄ上のいずれかのトラックＴにオントラックさせられる。この際に、磁気ヘッド５の記録幅ＭＷＷおよび再生幅ＭＲＷの双方がトラックＴのトラック幅ＴＷよりも広くなるように各部のサイズが規定されているため、図２に実線で示すように、磁気ヘッド５における幅方向の中心とトラックＴにおける幅方向の中心とがほぼ一致するように磁気ヘッド５がトラックＴにオントラックさせられている状態では、磁気ヘッド５の下方に存在するトラックＴの幅方向全体（左下がりの斜線で塗りつぶされている部位）が、磁気ヘッド５の記録幅ＭＷＷおよび再生幅ＭＲＷの範囲内に含まれる（トラックＴの幅方向全体が磁気ヘッド５の記録幅ＭＷＷおよび再生幅ＭＲＷの部位と重なり合う）こととなる。したがって、記録データの記録時には、磁気ヘッド５から出力される磁気的信号によってトラックＴの幅方向全体が十分に磁化され、記録データの再生時には、トラックＴに記録されている磁気的信号が磁気ヘッド５によって効率よく読み取られて、高レベルの出力信号が得られる。この結果、記録データが確実に記録再生される。また、記録幅ＭＷＷおよび再生幅ＭＲＷの双方がグルーブ幅ＧＷの２倍の幅とトラック幅ＴＷとの合計幅よりも狭くなるように各部のサイズが規定されているため、隣接するトラックＴ，Ｔと磁気ヘッド５の記録幅ＭＷＷおよび再生幅ＭＲＷの双方の部位との重なり合いが回避される。したがって、記録データの記録再生時における隣接トラックへの記録および隣接トラックからの再生の発生が防止される。
【００２５】
また、この記録再生装置１では、同図に一点鎖線および二点鎖線で示すように、磁気ヘッド５がトラックＴに対してオフトラック幅ＯＴＷの範囲内で位置ずれしたときであっても、記録データが確実に記録再生されると共に、隣接トラックへの記録および隣接トラックからの再生の発生が防止されている。具体的には、磁気ヘッド５の記録幅ＭＷＷおよび再生幅ＭＲＷの双方がオフトラック幅ＯＴＷの２倍の幅とトラックＴのトラック幅ＴＷとの合計幅以上になるように各部のサイズが規定されているため、オフトラック幅ＯＴＷの範囲内で磁気ヘッド５がトラックＴに対していずれの方向に位置ずれしたとしても（一点鎖線および二点鎖線のいずれの状態となったとしても）、磁気ヘッド５の下方に存在するトラックＴの幅方向全体（右下がりの斜線で塗りつぶされている部位）が磁気ヘッド５の記録幅ＭＷＷおよび再生幅ＭＲＷの範囲内に含まれることとなる。したがって、記録データの記録時には、トラックＴの幅方向全体が十分に磁化され、記録データの再生時には、高レベルの出力信号が得られる。また、記録幅ＭＷＷおよび再生幅ＭＲＷの双方がグルーブ幅ＧＷの２倍の幅とトラック幅ＴＷとの合計幅からオフトラック幅ＯＴＷの２倍の幅を差し引いた幅よりも狭くなるように各部のサイズが規定されているため、磁気ヘッド５がオフトラック幅ＯＴＷの範囲内でトラックＴに対していずれの方向に対して位置ずれしたとしても、隣接するトラックＴ，Ｔと磁気ヘッド５の記録幅ＭＷＷおよび再生幅ＭＲＷの双方の部位との重なり合いが回避されて、隣接するトラックＴ，Ｔとこの記録幅ＭＷＷおよび再生幅ＭＲＷの部位との間に隙間（この例では１０ｎｍ）が生じることとなる。したがって、たとえ磁気ヘッド５が位置ずれしたとしても、磁気ヘッド５の下方に存在するトラックＴのみに対する記録データの記録再生が実行される。
【００２６】
また、この記録再生装置１では、記録幅ＭＷＷおよび再生幅ＭＲＷの双方がグルーブ幅ＧＷの２倍の幅とトラック幅ＴＷとの合計幅からオフトラック幅ＯＴＷの２倍の幅を差し引いた幅よりも狭くなるように各部のサイズが規定されているため、磁気ヘッド５が位置ずれした際に記録幅ＭＷＷおよび再生幅ＭＲＷの双方に対して、隣接するトラックＴとの間に生じる隙間が１０ｎｍと極く小さな値となる。したがって、記録幅ＭＷＷおよび再生幅ＭＲＷの双方がグルーブ幅ＧＷの２倍の幅とトラック幅ＴＷとの合計幅からオフトラック幅ＯＴＷの２倍の幅を差し引いた幅よりも広くなるように各部のサイズが規定されている記録再生装置と比較して、隣接するトラックＴ，Ｔ・・を接近させることができる結果、トラック密度を高めることができ、隣接トラックへの記録および隣接トラックからの再生の発生が回避されつつ、記録データが高密度で記録される。
【００２７】
一方、図３の右側に示すディスクリートトラック媒体Ｄ１は、そのトラックＴ１のトラック幅ＴＷ１が同図の左側に示すディスクリートトラック媒体Ｄのトラック幅ＴＷよりも狭くなるように形成されている。具体的には、ディスクリートトラック媒体Ｄ１におけるトラックＴ１のトラック幅ＴＷ１は、ディスクリートトラック媒体ＤにおけるトラックＴのトラック幅ＴＷと同様にして磁気ヘッド５の記録幅ＭＷＷおよび再生幅ＭＲＷからオフトラック幅ＯＴＷの２倍の幅をそれぞれ差し引いた各幅以下であり、かつ、同図に示す幅Ｓの２倍分だけディスクリートトラック媒体ＤにおけるトラックＴのトラック幅ＴＷよりも狭く規定されている。したがって、このディスクリートトラック媒体Ｄ１では、上記したディスクリートトラック媒体Ｄと同様にして、磁気ヘッド５がトラックＴ１に対してオフトラック幅ＯＴＷの範囲内で位置ずれしたときであっても、記録データが確実に記録再生される。
【００２８】
また、このディスクリートトラック媒体Ｄ１では、隣接トラックへの記録および隣接トラックからの再生を回避するために、ディスクリートトラック媒体Ｄと同様に、トラック幅ＴＷ１とグルーブＧ１のグルーブ幅ＧＷ１の２倍の幅との合計幅が、磁気ヘッド５の記録幅ＭＷＷおよび再生幅ＭＲＷとオフトラック幅ＯＴＷの２倍の幅をそれぞれ合計した各幅以上となるように各部のサイズが規定されている。具体的には、そのグルーブＧ１のグルーブ幅ＧＷ１がディスクリートトラック媒体ＤにおけるグルーブＧのグルーブ幅ＧＷよりも広くなるように規定されている。例えば、ディスクリートトラック媒体Ｄ１のトラックＴ１の中心からグルーブＧ１の外縁までの長さがディスクリートトラック媒体ＤにおけるトラックＴの中心からグルーブＧの外縁までの長さと等しくなるように、そのグルーブＧ１のグルーブ幅ＧＷ１がディスクリートトラック媒体ＤにおけるグルーブＧのグルーブ幅ＧＷよりも上記幅Ｓ分だけ広くなるように規定されている。したがって、このディスクリートトラック媒体Ｄ１では、そのトラックピッチＴＰ１が磁気ヘッド５の記録幅ＭＷＷおよび再生幅ＭＲＷよりも狭く、ディスクリートトラック媒体ＤのトラックピッチＴＰと比較して幅Ｓ分だけ狭いため、その分だけトラック密度が高密度化されている。この結果、このディスクリートトラック媒体Ｄ１によれば、記録データを高密度で記録することができ、しかも、磁気ヘッド５が記録データの記録再生時においてトラックＴに対してオフトラック幅ＯＴＷの範囲内でどのように位置ずれしたとしても、記録再生エラー、隣接トラックへの記録および隣接トラックからの再生の発生を確実に回避することができる。
【００２９】
このように、この記録再生装置１によれば、記録幅ＭＷＷおよび再生幅ＭＲＷの双方がオフトラック幅ＯＴＷの２倍の幅とトラック幅ＴＷとの合計幅以上であって、グルーブ幅ＧＷ幅の２倍の幅とトラック幅ＴＷとの合計幅からオフトラック幅ＯＴＷの２倍の幅を差し引いた幅以下となるように各部のサイズを規定したことにより、記録データの記録再生時に磁気ヘッド５がトラックＴに対してオフトラック幅ＯＴＷの範囲内でどのように位置ずれしたとしても、磁気ヘッド５の記録幅ＭＷＷおよび再生幅ＭＲＷの範囲内にトラック幅ＴＷの全体が含まれ、かつ、隣接するトラックＴと磁気ヘッド５の記録幅ＭＷＷおよび再生幅ＭＲＷの部位との重なり合いを回避することができる。これにより、記録再生エラー、隣接トラックへの記録および隣接トラックからの再生の発生を確実に回避することができる。また、隣接トラックへの記録および隣接トラックからの再生の発生を回避すべく、記録幅ＭＷＷおよび再生幅ＭＲＷの双方をグルーブ幅ＧＷの２倍の幅とトラック幅ＴＷとの合計幅からオフトラック幅ＯＴＷの２倍の幅を差し引いた幅を超える幅に規定した場合と比較して、記録データを高密度で記録することができる。
【００３０】
また、この記録再生装置１によれば、トラックピッチＴＰ１が磁気ヘッド５の記録幅ＭＷＷおよび再生幅ＭＲＷの双方よりも狭くなるように各部のサイズを規定したことにより、トラック密度を高めることができ、記録データを高密度で記録することができる。しかも、磁気ヘッド５が記録データの記録再生時においてトラックＴ１に対してオフトラック幅ＯＴＷの範囲内でどのように位置ずれしたとしても、記録再生エラー、隣接トラックへの記録および隣接トラックからの再生の発生を回避することができる。
【００３１】
さらに、この記録再生装置１によれば、記録幅ＭＷＷと再生幅ＭＲＷとが同等で、かつ、トラックピッチＴＰと同等になるように各部のサイズを規定したことにより、記録再生エラー等の発生を回避しつつ、記録データの高密度記録を達成することができると共に、トラック幅ＴＷを最大に形成することができるため、記録データの再生時には、トラックＴに記録されている磁気的信号を効率よく読み取って高レベルの再生信号を得ることができる。
【００３２】
なお、本発明は、上記した発明の実施の形態に限らず、適宜変更が可能である。例えば、本発明の実施の形態では、ディスクリートトラック媒体ＤのトラックピッチＴＰを３００ｎｍとし、トラック幅ＴＷを２００ｎｍとし、グルーブ幅ＧＷを１００ｎｍとすると共に、磁気ヘッド５の記録幅ＭＷＷおよび再生幅ＭＲＷの双方を３００ｎｍとした例について説明したが、これらの数値はあくまでも例示であって、本発明における条件を満たす範囲において任意に変更することができる。また、本発明は、ディスクリートトラック媒体Ｄにおける各部のサイズに応じて磁気ヘッド５の記録幅ＭＷＷおよび再生幅ＭＲＷを規定する規定方法と、磁気ヘッド５の記録幅ＭＷＷおよび再生幅ＭＲＷに応じてディスクリートトラック媒体Ｄにおける各部のサイズを規定する規定方法のいずれに基づいて各サイズを規定してもよい。さらに、本発明におけるディスクリートトラック型の記録媒体は、片面記録型、および基材の表裏両面に同心円状の複数のデータ記録用トラックを形成した両面記録型の両者が含まれる。また、本発明におけるディスクリートトラック型の記録媒体には、グルーブＧ内に非磁性体材料を充填したものが含まれる。
【図面の簡単な説明】
【００３３】
【図１】本発明の実施の形態に係る記録再生装置１の構成を示す構成図である。
【図２】記録再生装置１のディスクリートトラック媒体ＤにおけるトラックＴのトラック幅ＴＷ、グルーブＧのグルーブ幅ＧＷ、およびトラックＴのトラックピッチＴＰと、磁気ヘッド５の記録幅ＭＷＷおよび再生幅ＭＲＷと、磁気ヘッド５のトラックＴに対するオフトラック幅ＯＴＷとの関係について説明するための平面図である。
【図３】本発明の他の実施の形態に係るディスクリートトラック媒体Ｄ１におけるトラックピッチＴＰ１およびディスクリートトラック媒体ＤにおけるトラックピッチＴＰと、磁気ヘッド５の記録幅ＭＷＷおよび再生幅ＭＲＷとの関係について説明するための平面図である。
【符号の説明】
【００３４】
１  記録再生装置
５  磁気ヘッド
Ｄ，Ｄ１  ディスクリートトラック媒体
Ｇ，Ｇ１  グルーブ
ＧＷ，ＧＷ１  グルーブ幅
ＭＲＷ  再生幅
ＭＷＷ  記録幅
ＯＴＷ  オフトラック幅
Ｔ，Ｔ１  トラック
ＴＰ，ＴＰ１  トラックピッチ
ＴＷ，ＴＷ１  トラック幅
【図１】
2004234819.tif 000003
【図２】
2004234819.tif 000004
【図３】
2004234819.tif 000005